(57)【要約】【課題】患者の患部を洗浄した洗浄廃液は、膿盆によって確実に受けることが難しく、ベットや衣服を汚すことも多い。【解決手段】袋体１を形成する前後シート３、４の一方の開口部２に、患者の患部１１の周縁部に位置する肢体１２の曲面に対応するような凹部５を形成する。この凹部５の外面に沿うようにして患部１１の周縁部の肢体１２に貼付する粘着剤層６を設ける。この袋体１の開口部２の凹部５を患部１１の周縁部に当てるようにし、粘着剤層６によって肢体１２に貼付すると、確実に肢体１２に固定することができる。患部１１を洗浄した後の洗浄廃液１４は、凹部５の上を流れて袋体１内に確実に受け入れて収集することができる。【選択図】図４
0003127812.tif 000002
【実用新案登録請求の範囲】
【請求項１】
袋体を形成する前後シートの一方の開口部に患部の周縁部の肢体の曲面に対応するような凹部を形成し、該凹部の外面に沿って患部の周縁部の肢体に貼付する粘着剤層を設けた患部洗浄廃液用袋。
【請求項２】
上記凹部は、その幅が８〜３０ｃｍ、深さが２〜２０ｃｍに形成されている請求項１に記載の患部洗浄廃液用袋。
【請求項３】
上記粘着剤層は、上記凹部の端縁部に沿って５ｍｍ以上の幅で設けられている請求項１または２に記載の患部洗浄廃液用袋。
【請求項４】
上記袋体は開口部が大きく開くガゼット状に形成されている請求項１〜３のいずれかに記載の患部洗浄廃液用袋。
【考案の詳細な説明】
【技術分野】
【０００１】
本考案は、患者の患部を洗浄するときの洗浄廃液を受け入れるための用具に関する。
【背景技術】
【０００２】
怪我、手術、褥瘡等で生じた創部や褥瘡部その他の患部の治療において、患部を常に清潔に保つことは重要である。そのために、１日１回程度、生理食塩水等で患部を洗浄することが広く行われている。
この洗浄は、通常、ベットに寝たままの患者さんに対して行うことから、ベットや衣服を汚さないように洗浄廃液を確実に受ける必要がある。
【０００３】
従来、こうした洗浄廃液は、図５に示すように肢体３１の患部３２の下方にガーゼ３３等を当て、その上から膿盆３４を押し当てて洗浄液３５を流して洗浄廃液３６を受けたり、大きなガーゼやおむつ等に使われている吸収材で直接に受けて吸収させたりしているが、膿盆３４から洗浄廃液がこぼれないように支えながら上手に洗浄することが難しいし、ガーゼなどに吸収させる場合には、洗浄液の使用量も自ずと限られており、しかも何れの作業も非常に煩雑であった。
【考案の開示】
【考案が解決しようとする課題】
【０００４】
本考案は、患者の患部を洗浄した洗浄廃液によってベットや衣服を汚すことなく、洗浄廃液を確実に受け入れて収集することができ、洗浄液も必要量を充分に使用することができ、しかも洗浄作業を容易に行い、洗浄廃液の処分も簡便にできるものを得ようとするものである。
【課題を解決するための手段】
【０００５】
本考案は、袋体があり、この袋体を形成する前後シートの一方の開口部に、患者の患部の周縁部に位置する肢体の曲面に対応するような凹部を形成しており、この凹部の外面に沿うようにして患部の周縁部の肢体に貼付する粘着剤層を設けることによって、患部の洗浄廃液を受け入れて収集することができるようにしている。
【考案の効果】
【０００６】
本発明によれば、この患部洗浄廃液用袋の開口部の凹部を患部の周縁部に当てるようにして粘着剤層によって肢体に貼付すると、確実に肢体に固定することができる。この袋の開口部を広げるようにして、洗浄液を流したり噴霧したりすると患部を洗浄することができ、洗浄後の廃液は、肢体に貼付されている袋の開口部の凹部から確実に受け入れられ、袋内に流れ込んで収集される。洗浄が終ったら、上記粘着剤層を肢体から剥がすようにすれば、この洗浄廃液の入った袋を取外すことができるので、そのまま又は中の洗浄廃液を捨てて袋を廃棄することができる。
【考案を実施するための最良の形態】
【０００７】
袋体１は、水が透過しないような適宜の材料で形成される。通常、プラスチックフイルム、ラミネートフイルム、防水紙、防水不織布、防水布その他の防水性材料によって形成されるが、洗浄する患部や洗浄廃液の状態を観察し易いように透明性または半透明性のものを使用すると好ましいことが多い。
この袋体１は、平袋のほか適宜の形状に形成されるが、図示するようにガゼット状の袋にすると、開口部２が大きく開くので、洗浄廃液の収集に都合がよい。また、三角形や台形などの開口部が広く底部が狭くなっているような袋体でも使用することができる。
【０００８】
この袋体１を形成する前後のシート３、４の一方の開口部２には、凹部５を形成している。この凹部５は、洗浄を必要とする患部１１の周縁部の肢体１２の曲面に対応するように形成されているもので、患部１１の周縁に沿うように弧状、Ｖ字状、Ｕ字状、角形状その他の適宜の凹形状になっている。
この凹部５の大きさは、患部の位置、大きさによって変更することができるが、通常、その幅を約８〜３０ｃｍ程度、深さを約２〜２０ｃｍ程度にするとよい。
【０００９】
上記袋体１の外面で、凹部５の周縁には、粘着剤層６を形成している。この粘着剤層６は、上記凹部５の端縁部７に沿うようにして、約５ｍｍ程度以上の幅で形成されており、凹部５、開口部２、袋体１などが大きくなったり、洗浄液を多く使用する場合には、この粘着剤層６の面積を広くしたりして、粘着作用を大きくするようにするとよい。
この粘着剤層６は、ゴム系粘着剤、アクリル系粘着剤、シリコン系粘着剤その他の適宜の粘着剤を使用することができるが、アクリル系粘着剤などの皮膚に対する刺激性の少ないものを使用するとよいことが多い。
【００１０】
この粘着剤層６の上には、剥離紙８を重ねて覆うようにすると良く、使用する際にこの剥離紙８を剥がせば、患部の周縁に貼付して使用することができる。
図示するものは、円周８０ｃｍのポリエチレンフイルムの両側に５ｃｍ幅の折込部９を設けて幅３０ｃｍとし、縦の長さを３５ｃｍとし、底部１０をヒートシールしたガゼット状の袋体１とし、前後のシート３、４の一方のシート３の開口部２側に粘着剤層６を形成し、この粘着剤層６を縦中央に切線１８を設けた剥離紙８で覆い、前後のシート３、４を重ねて幅１９ｃｍ、深さ７ｃｍの弧状の凹部５を打ち抜き形成したもので、粘着剤層６の無いシート４にも同様に凹部に相当するものが設けられている。
【００１１】
この袋体１を使用する場合、切線１８等から剥離紙８を剥がして粘着剤層６を露出させ、袋体１の開口部２の凹部５を患部１１の周縁部を下方から囲むように位置させて、肢体１２に貼り付ければ、袋体１を固定することができる。
こうして肢体１２に固定した袋体１の開口部２の他方のシート４を摘んで口を拡げ、患部１１に洗浄液１３を流したり、噴霧したりして洗浄すると、洗浄後の廃液１４は開口部２の凹部５の上を流れて袋体１内に受け入れられて、肢体の他の部分にこぼれ出て行ったりすることもない。
【００１２】
洗浄廃液を受け入れて収集し終わった袋体１は、開口部２の一端を摘まんで引張るようにすれば、肢体１２に貼付された粘着剤層６が剥がされるようになって取外すことができ、収集した洗浄廃液１４を袋体１から流し出すようにして捨て、袋体１を廃棄することができる。このように確実かつ簡便に洗浄を行うことができ、患部の衛生状態を良好に保つことができて、患者に苦痛を与えることも無いものである。
【図面の簡単な説明】
【００１３】
【図１】本考案の実施例を示す正面図である。
【図２】図１の一部省略拡大平面図である。
【図３】図１の斜視図である。
【図４】図１の使用状態を示す説明図である。
【図５】従来品の使用状態を示す説明図である。
【符号の説明】
【００１４】
１    袋体
２    開口部
３    前シート
４    後シート
５    凹部
６    粘着剤層
７    凹部の端縁部
８    剥離紙
９    折込部
１０  底部
１１  患部
１２  肢体
１３  洗浄液
１４  洗浄廃液
【図１】
0003127812.tif 000003
【図２】
0003127812.tif 000004
【図３】
0003127812.tif 000005
【図４】
0003127812.tif 000006
【図５】
0003127812.tif 000007